(57)【特許請求の範囲】
【請求項１】
支柱の上端部を桟や天井等に設定した取付部に取り付ける際に利用されるものであって、
支柱の上端部と取付部との間に、支柱の上端部を一定以上に押し込んだ際にこれを取付部に係留させるプッシュラッチ機構を設け、
プッシュラッチ機構が、支柱側に固定されるプッシュラッチ要素と、取付部側に固定されるプッシュラッチ受け要素とから構成され、
取付部が、桟や天井等に形成した下向きの連続開口の内部に長手方向に沿って連続的に設定されたものであり、プッシュラッチ受け要素が、連続開口に挿入した後に水平面内で回転させることによってその位置に連続開口から離脱し得ないように固定されるものである支柱の取付構造。
【請求項２】
支柱の上端部を桟や天井等に設定した取付部に取り付ける際に利用されるものであって、
支柱の上端部と取付部との間に、支柱の上端部を一定以上に押し込んだ際にこれを取付部に係留させるプッシュラッチ機構を設け、
プッシュラッチ機構が、取付部側に固定されるプッシュラッチ要素と、支柱側に固定されるプッシュラッチ受け要素とから構成され、
取付部が、桟や天井等に形成した下向きの連続開口の内部に長手方向に沿って連続的に設定されたものであり、プッシュラッチ要素が、連続開口に挿入した後に水平面内で回転させることによってその位置に連続開口から離脱し得ないように固定されるものである支柱の取付構造。
【請求項３】
プッシュラッチ機構は、押し込み力の入力からその解除までの一連の動作によって支柱の上端部を係留状態に引き込み、引き続く押し込み力の入力からその解除までの一連の動作によって前記係留状態を解除するものである請求項１又は２記載の支柱の取付構造。
【請求項４】
床面に接地するアジャスタを支柱の下端に設けており、アジャスタの調整によって付与される支柱の突っ張り力がプッシュラッチ要素の弾性変形によって蓄積される請求項１、２又は３記載の支柱の取付構造。
【請求項５】
取付部が、床の上方にあって構造体の一部をなす桟に設定され、支柱が床と桟の間にオプション部材を取り付けるために必要に応じて付設されるものである請求項１、２、３又は４記載の支柱の取付構造。
【発明の詳細な説明】
【０００１】
【発明の属する技術分野】
本発明は、桟や天井等に上端部を取り付けて支柱を配置する際に利用される支柱の取付構造に関するものである。
【０００２】
【従来の技術】
近時になって、居住空間を効率的に利用するために、床の上方に構造体の一部をなす桟を架設し、これら床と桟の間に、上端部を桟に係わり合わせ下端部を床に接地させて支柱を取り付けるようにした空間モジュールが考えられている。
【０００３】
このような空間モジュールを採用すれば、支柱を利用して居住空間を間仕切るパーティションを形成したり、棚や各種オプション部材を取り付けるなど、居住空間を効率的に利用する環境を有効に整えることができるようになる。
【０００４】
【発明が解決しようとする課題】
ところで、上記のごとく支柱を床と桟の間に取り付ける態様としては、支柱の上端部を桟にブラケットやボルト等を用いて固定し、支柱の下端部をアジャスタを介して床に接地させるようにするのが一般的である。
【０００５】
しかしながら、この種の空間モジュールは、その本来の使途からして、必要に応じレイアウト変更やオプション部材の着脱に迅速に対応できるものであることが望ましい。このため、上記のようにブラケットやボルト等を用いて支柱の上端部を桟に着脱するようにしたのでは、初期設置時を始め事後的なレイアウト変更時の作業に手間どる上に、ブラケットやボルト等が露出して見栄えも損なわれ易いものになる。
【０００６】
このような不具合は、天井のように高い位置に支柱の上端部を取り付ける場合等にも同様に言えることである。
【０００７】
本発明は、このような課題に着目してなされたものであって、簡易な作業で支柱の上端部を桟や天井等に簡単かつ有効に取り付けることができるようにした支柱の取付構造を新たに提供しようとするものである。
【０００８】
【課題を解決するための手段】
本発明は、かかる目的を達成するために、次のような手段を講じたものである。
【０００９】
すなわち、本発明に係る支柱の取付構造は、支柱の上端部を桟や天井等に設定した取付部に取り付けるにあたり、支柱の上端部と取付部との間に、支柱の上端部を一定以上に押し込んだ際にこれを取付部に係留させるプッシュラッチ機構を設けるようにしたものである。ここに言う係留とは、支柱の上端部が取付部に関わり、その関わった状態が保持されることを意味する。
【００１０】
このような取付構造によると、支柱を持ち上げてその上端部を桟や天井等の取付部に向かって一旦押し込んだ以降は、操作力を解除しても、支柱の上端部がプッシュラッチ機構を介して取付部に係留され、当該取付部から外れたり転倒したりすることがない。このため、後は支柱の下端部においてアジャスタ調整等をするだけで、支柱の取付作業を簡単に完了することができる。特に、この構造によると、支柱を実際に持ち上げて据え付けるまでの工数や時間がブラケットやボルト等を用いる場合に比べて遥かに少ないもので済むこととなる。さらに、プッシュラッチ機構は、支柱の上端部及びこの上端部が対面することとなる取付部の間に構成されるのが通例であるため、ブラケット等を利用する場合のように外部に露出する部分が不要であり、取付状態を見栄えの良好なものにすることができる。
【００１１】
支柱の設置から撤去までに亘る便を有効に向上させるためには、プッシュラッチ機構が、押し込み力の入力からその解除までの一連の動作によって支柱の上端部を係留状態に引き込み、引き続く押し込み力の入力からその解除までの一連の動作によって前記係留状態を解除するものであることが望ましい。
【００１２】
プッシュラッチ機構の具体的な一実施の態様としては、支柱側に固定されるプッシュラッチ要素と、取付部側に固定されるプッシュラッチ受け要素とから構成されるものを挙げることができる。
【００１３】
この場合、支柱の取付位置の自由度を簡単かつ有効に高めるためには、取付部が、桟や天井等に形成した下向きの連続開口の内部に長手方向に沿って連続的に設定されたものであり、プッシュラッチ受け要素が、連続開口に挿入した後に水平面内で回転させることによってその位置に連続開口から離脱し得ないように固定されるものであることが望ましい。
【００１４】
プッシュラッチ機構の具体的な他の実施の態様としては、取付部側に固定されるプッシュラッチ要素と、支柱側に固定されるプッシュラッチ受け要素とから構成されるものを挙げることができる。
【００１５】
この場合にも、支柱の取付位置の自由度を簡単かつ有効に高めるためには、取付部が、桟や天井等に形成した下向きの連続開口の内部に長手方向に沿って連続的に設定されたものであり、プッシュラッチ要素が、連続開口に挿入した後に水平面内で回転させることによってその位置に連続開口から離脱し得ないように固定されるものであることが望ましい。
【００１６】
複数の支柱を共通の桟や天井等に均等な力で手順よく取り付けるために有効となる構成としては、プッシュラッチ要素を弾性変形させた状態で、支柱を取付部と床との間に介在させて取り付けるようにしているものが挙げられる。支柱の下端部はアジャスタに支持されていることが望ましい。
【００１７】
本発明は、以上のような構成であるから、取付部が、床の上方にあって構造体の一部をなす桟に設定され、支柱が床と桟の間にオプション部材を取り付けるために必要に応じて付設されるものである空間モジュール等に適用して極めて有用なものとなり得る。
【００１８】
【発明の実施の形態】
以下、本発明の一実施形態を、図面を参照して説明する。
【００１９】
本実施形態に係る支柱の取付構造は、図１に示す作業空間モジュールに適用されるものである。この作業空間モジュールは、複数の支柱４を床Ｆに略等間隔で配置するとともに、隣接する支柱４間に桟５を架設して構成した自立性を有する構造体であり、オフィス空間に所定の作業空間を形成するために用いられる。支柱４には、オプション部材としてパネルＯＰ１以外に、デスク用の天板ＯＰ２、棚用円形天板ＯＰ３、及び照明器具ＯＰ４等を取り付け得るようにしている。
【００２０】
しかして、本実施形態の取付構造が適用される支柱は、上記支柱４ではなく、支柱４、４間にオプションとして取り付けられるパネル要素３を支持するパネル支持支柱２であり、このパネル支持支柱２の上端部を桟５に取り付け、その後、パネル支持支柱２の下端に設けたアジャスタ２２を床Ｆに接地させて、このパネル支持支柱２に図２に示すパネル要素取付具１を介してパネル要素３を取り付けるようにしている。
【００２１】
パネル支持支柱２は、図３に示すように、押し出し成形により断面視十字状をなすように形成された支柱本体２１と、この支柱本体２１の下端部に設けたアジャスタ２２と、前記支柱本体２１の上端部に設けたプッシュラッチ要素２３とを具備する。プッシュラッチ要素２３は、図４に示すように桟５側に設けられるプッシュラッチ受け要素２４と対をなしてプッシュラッチ機構Ｐを構成しており、プッシュラッチ要素２３をプッシュラッチ受け要素２４に係わり合わせることによってパネル支持支柱２の上端部を桟５に係留し、しかる後、アジャスタ２２を接地、調整して、パネル支持支柱２の取り付けを完了することができるようにしている。
【００２２】
プッシュラッチ要素２３は、図４、図５及び図６に示すように、支柱本体２１の上端部に取付金具２３ｐを介して取り付けられるベース２３aと、このベース２３ａの中央より立設され先端側に軸心を含む面に平行なスリット２３ｓが形成された柱状体２３ｂと、この柱状体２３ｂの外周位に昇降可能に配置された円盤状のラッチ板２３ｃと、このラッチ板２３ｃと前記ベース２３aとの間に介在させたねじりコイルバネ２３ｄと、前記柱状体２３ｂのスリット２３ｓ内に支軸回りに回転可能に配置したラッチ歯２３eと、このラッチ歯２３eを支軸ｍから変位した位置において上方へ弾性により押し付ける押し付け機構２３ｆとからなる。押し付け機構２３ｆは前記柱状体２３ｂのスリット２３ｓ内に収容したボール２３ｆ２及びバネ２３ｆ１から構成されている。ラッチ歯２３eは矩形板の対向二辺をほぼ三角形状に切り落とした形態をなすもので、この三角形状の凹部をラッチ領域２３ｘとして設定し、他の対向二辺を非ラッチ領域２３ｙとして設定し、両領域の境界となる角部を切替えポイント２３ｚとして設定している。ラッチ板２３ｃは、頂壁２３ｃ１、底壁２３ｃ２及び周壁２３ｃ３を具備し、円環状の空洞をその内周側に開口させたある程度厚みを有するものである。
【００２３】
次に、このプッシュラッチ要素２３の作動を説明する。先ず、ラッチ板２３ｃがバネ２３ｆ１に押し上げられて図６（ａ）に示す上昇位置にあり（適宜のストッパーに規制されてそれ以上は上昇しないようになっている）、ラッチ歯２３eの非ラッチ領域２３ｙが起立してラッチ板２３ｃの内周に接している状態では、ラッチ歯２３eはラッチ板２３ｃにブロックされて回転を阻止されている。これが非ラッチ状態である。この状態から、ラッチ板２３ｃを降下する方向に押し込むと、このラッチ板２３ｃがラッチ歯２３eの非ラッチ領域２３ｙを通過し、さらに切替えポイント２３ｚを通過した時点で、ラッチ歯２３eの拘束が解除され、押し付け機構２３ｆにより斜辺２３e１を押し上げられて、図６（ｂ）に示すように切替えポイント２３ｚをスリット２３ｓから側方へ若干突出させる位置まで当該ラッチ歯２３eが回転する。この状態でラッチ板２３ｃへの押し込み力を解除すると、ラッチ板２３ｃはバネ２３ｄに押し上げられ、このとき頂壁２３ｃ１が突出した切替えポイント２３ｚをすくい上げ、引き続き底壁２３ｃ２が次の切替えポイント２３ｚをすくい上げて、図６（ｃ）に示すように内周に形成された円環状の空洞内に切替えポイント２３ｚを収容た状態で上昇する。ラッチ板２３ｃの頂壁２３ｃ１がラッチ歯２３eのラッチ領域２３ｘに沿ってその谷に達した後は、それ以上上昇しようとしても頂壁２３ｃ１がラッチ領域２３ｘの下側の斜辺２３e１と干渉するため回転できず、ラッチ状態に引き込まれる。このラッチ状態から再びラッチ板２３ｃを図６（ｄ）のように押し込むと、ラッチ板２３ｃがラッチ歯２３eのラッチ領域２３ｘを通過し、さらに切替えポイント２３ｚを通過した時点で、ラッチ歯２３eの拘束が解除され、押し付け機構２３ｆにより非ラッチ領域２３ｙを押し上げられて、図６（ｅ）に示すように次の切替えポイント２３ｚをスリット２３ｓから側方へ突出させる位置まで当該ラッチ歯２３ｅが回転する。この状態でラッチ板２３ｃへの押し込み力を解除すると、ラッチ板２３ｃはバネ２３ｄに押し上げられ、頂壁２３ｃ１が切替えポイント２３ｚを押し上げる。その結果、ラッチ歯２３eが図６（ａ）の状態に戻り、その間に押し付け機構２３ｆのボール２３ｆ２が切替えポイント２３ｚを乗り越えて、ラッチ領域２３ｘの谷付近の斜辺２３e１に接触する最初の状態に戻る。
【００２４】
一方、プッシュラッチ受け要素２４は、図７及び図８に示すように、ビームアタッチメント２４aと、このビームアタッチメント２４aの取り付け状態を維持するストッパー２４ｂとからなる。ビームアタッチメント２４aは桟５の形状に対応して各部の寸法設定がされている。すなわち、この実施形態の桟５は、下向きに連続開口を有するもので、開口近傍の起立壁５１に内方に向けて複数段の突片５２を有しており、突片５２と突片５２の間に長手方向に沿って延びる溝５３が形成されている。この桟５は、長手方向に沿って任意の位置をパネル支持支柱２を取り付けるための本発明の取付部とするものである。これに対して、ビームアタッチメント２４aは、矩形状をなす板材の対角２箇所にアール２４a１を形成したもので、長辺２４a２は桟５の起立壁５１間の内法寸法にほぼ対応し、短辺２４a３は突片５２間の内法寸法よりも小さい値に設定されている。そして、このビームアタッチメント２４aを、短辺を桟５の巾方向に合致させて図７（ａ）矢印Ｘに示すように開口から桟５の内部に収容し、所定の溝５３の高さ位置においてこのビームアタッチメント２４aを同図中矢印Ｙに示すように水平面内をほぼ９０°回転させることによって、短辺２４a３を起立壁５１の内面に密接する位置にまで移動させることができるようにしている。この実施形態では、異なる高さ位置に複数の溝５３が形成してあり、何れの溝５３にビームアタッチメント２４aを装着するかによって、プッシュラッチ２３の受け位置を変更できるようにしている。勿論、ビームアタッチメント２４ａの装着位置を桟５の長手方向に沿って選択できるのは言うまでもない。ビームアタッチメント２４a及びストッパー２４ｂの中央には、プッシュラッチ要素２３の柱状体２３ｂの先端を挿入する孔２４a４、２４ｂ４が形成してある。
【００２５】
一方、ストッパー２４ｂは、チャネル状をなし、その頂壁２４ｂ１の巾寸法２４ｘが桟５の突片５２間の内法寸法にほぼ対応させてあるもので、このストッパー２４ｂを前記ビームアタッチメント２４aに上方から近づけ、そのコーナー部の４箇所に形成した突起２４ｂ２をビームアタッチメント２４aの対応位置に形成した括れ部分２４ａ５に係わり合わせることによって、ストッパー２４ｂを突片５２間に密接に配置し得るようにしている。そして、その位置でストッパー２４ｂをビームアタッチメント２４aに適宜の連結手段で連結することによって、ストッパー２４ｂを介してビームアタッチメント２４aの回転を禁止するようにしている。
【００２６】
この状態で、ビームアタッチメント２４ａと桟５との間、ストッパー２４ｂと桟５との間には、取付位置が長手方向へずれることを防止するための適宜の滑動防止手段（例えば部分的な押圧突起、軟質樹脂など）を設けておくことが有効である。
【００２７】
以上により、ビームアタッチメント２４aを桟５に取り付け、プッシュラッチ要素２３を支柱本体２１の上端に取り付けた状態で、図９に示すように支柱本体２１を若干傾斜させつつ桟５に近づけて、プッシュラッチ要素２３の柱状体２３ｂをビームアタッチメント２４aの孔２４a４に差込み、かつラッチ板２３ｃをビームアタッチメント２４aの下面に押し当てて支柱２をある程度押し上げ、しかる後に若干降ろすと、図１０における（ａ）→（ｂ）→（ｃ）→（ｄ）、図６における（ａ）→（ｂ）→（ｃ）に示すように、ラッチ板２３ｃが相対的に桟５によって押し下げられ、このときビームアタッチメント２４aが、ラッチ板２３ｃの頂壁２３ｃ１とともにラッチ歯２３eのラッチ領域２３ｘに一緒に食い込んで、支柱２の上端部が桟５に係留されたラッチ状態に引き込まれる。この状態にいたったときは、支柱２が図９中実線で示すように鉛直に起立した状態にしておき、しかる後にアジャスタ２２を調節することによって、床Ｆと桟５との間に支柱２を突っ張った状態で介在させて取り付けを完了する。また、この状態からアジャスタ２２を緩め、再び支柱２を押し上げて降ろすと、図６における（ｃ）→（ｄ）→（ｅ）→（ａ）に示すように、ビームアタッチメント２４aがラッチ板２３ｃの頂壁２３ｃ１とともにラッチ領域２３ｘから離脱し、支柱２の上端部が桟５によるラッチ状態から開放されることとなる。したがって、このパネル支持支柱２を床Ｆと桟５の間から取り除くことができる。
【００２８】
なお、この支柱２にパネル要素３を取り付けるために用いるパネル要素取付具１について説明を付記しておく。このパネル要素取付具１は、本実施形態では、図２及び図１１に示すように、パネル支持支柱２にそれ自体を固定するための固定部１ａと、前記パネル支持支柱２間に前記パネル要素３を取り付けるためのパネル要素取付部１ｂを具備する。さらに、前記パネル要素取付部１ｂは、前記パネル支持支柱２から対向するパネル支持支柱２に向けて突出した１対の挟持体たる前挟持体１１と後挟持体１２とにより構成され、この１対の前挟持体１１と後挟持体１２とにより前記パネル要素３を挟み込み、パネル要素取付ねじ１３により固定するようにしている。さらに、前記前挟持体１１と前記後挟持体１２とは、前記固定部１ａをも構成していて、パネル要素３とパネル支持支柱２とを同時に挟み込むようにしている。加えて、前記前挟持体１１と前記後挟持体１２との間には、パネル要素取付溝１ｂ１と支柱取付溝１ａ１とが形成されるようにしてあり、パネル要素３の縁部をパネル要素取付溝１ｂ１に係合させるとともに、支柱取付溝１ａ１にパネル支持支柱２を嵌め込むようにしている。前記前挟持体１１と前記後挟持体１２とは、略同一形状をなしている。
【００２９】
以上のように、本実施形態は、パネル支持支柱２の上端部を桟５の連続開口の内部に設定した取付部に取り付けるにあたり、パネル支持支柱２の上端部と取付部との間に、パネル支持支柱２の上端部を一定以上に押し込んだ際にこれを取付部に係留させるプッシュラッチ機構Ｐを設けるようにしたものである。
【００３０】
このような取付構造によると、パネル支持支柱２を持ち上げてその上端部を桟５の取付部に向かって一旦押し込んだ以降は、操作力を解除しても、パネル支持支柱２の上端部がプッシュラッチ機構Ｐを介して桟５の内部に設定した取付部に係留され、当該取付部から外れたり転倒したりすることがない。このため、後はパネル支持支柱２の下端部においてアジャスタ調整等をするだけで、パネル支持支柱２の取付作業を簡単に完了することができる。特に、この構造によると、パネル支持支柱２を実際に持ち上げて据え付けるまでの工数や時間がブラケットやボルト等を用いる場合に比べて遥かに少ないもので済むので、作業労力は有効に軽減されたものになる。さらに、プッシュラッチ機構Ｐは、パネル支持支柱２の上端部及びこの上端部が対面することとなる取付部の間に構成されるため、ブラケット等を利用する場合のように取付部分が外部に露出する不具合がなく、取付状態を見栄えの良好なものにすることができる。
【００３１】
特に、プッシュラッチ機構Ｐは、押し込み力の入力からその解除までの一連の動作によってパネル支持支柱２の上端部を係留状態に引き込み、引き続く押し込み力の入力からその解除までの一連の動作によって前記係留状態を解除するものであるため、パネル支持支柱２を桟５に取り付ける設置時のみならず、パネル支持支柱２を桟５から取り外す撤去時、あるいは位置変更時などにおいても引き続き上記と同様の効果を得ることができ、有効な使い勝手を反復継続して得ることができる。
【００３２】
とりわけ、本実施形態は、プッシュラッチ機構Ｐを、パネル支持支柱２側に固定されるプッシュラッチ要素２３と、取付部側に固定されるプッシュラッチ受け要素２４とから構成しているだけであるため、構造簡素であって支柱本体２１や桟５に格別な作り込みをすることを必要としないものになる。また、これらプッシュラッチ要素２３やプッシュラッチ受け要素２４の形状やサイズ等を変えれば、規格の異なるオプション部材、規格の異なる桟その他の取付先へも簡単に適用できる利点が得られる。
【００３３】
さらに、この実施形態は、上記のように桟５の連続開口の内部に長手方向に沿って連続的に取付部を設定しているものであり、プッシュラッチ受け要素２４が、連続開口に挿入した後に水平面内で回転させることによってその位置に連続開口から離脱し得ないように固定されるものであるため、簡素な構成及び作業でパネル支持支柱２の取付位置の自由度を簡単かつ有効に高めることができる。
【００３４】
さらにまた、プッシュラッチ要素２３を弾性変形させた状態で、パネル支持支柱２が取付部と床Ｆとの間に介在させて取り付けられるため、アジャスタ２２の調整によって付与されるパネル支持支柱２の突っ張り力は、上記プッシュラッチ要素２３の弾性変形によって蓄積され、桟５の撓み変形を惹起することはない。このため、複数のパネル支持支柱２を共通の桟５に取り付けるにあたり、既に取り付けたパネル支持支柱２の取付状態に影響を及ぼすことなく、順次均等な押し付け力で次のパネル支持支柱２を確実に取り付けていくことが可能となる。
【００３５】
本発明の支柱取付構造は、この実施形態のように床Ｆと桟５の間に種々のオプション部材を取り付けるために必要に応じて支柱を付設するようにしている空間モジュール等に適用して極めて有用なものとなり得る。
【００３６】
なお、各部の具体的な構成は、上述した実施形態のみに限定されるものではなく、本発明の趣旨を逸脱しない範囲で種々変形が可能である。
【００３７】
例えば、プッシュラッチ機構Ｐを構成するプッシュラッチ要素２３を桟５の内部に設定した取付部側に固定し、プッシュラッチ要素２４をパネル支持支柱２側に固定しても、上記と同様の効果を得ることができる。
【００３８】
この場合にも、プッシュラッチ要素２３を、連続開口に挿入した後に水平面内で回転させることによってその位置に連続開口から離脱し得ないように固定し得るように構成することで、パネル支持支柱２の取付位置の自由度を同様にして高めることが可能となる。
【００３９】
また、プッシュラッチ機構には、上記以外の種々の構造を採用することができ、適用対象となる支柱は上記のパネル支持支柱に限定されるものではない。
【００４０】
さらに、本発明は、天井や、天井に近い高さにある桟に支柱の上端部を取り付けるケースに適応しても同様に高い効果を揚げることができる。
【００４１】
【発明の効果】
本発明は、以上説明した構成であるから、簡易な作業で支柱の上端部を桟や天井等に簡単かつ有効に取り付けることができるようにした支柱の取付構造を提供することができる。
【図面の簡単な説明】
【図１】本発明の一実施形態に係る支柱取付構造を適用した作業空間モジュールを示す概略斜視図。
【図２】同実施形態が適用されるパネル支持支柱をこれにより取り付けられるパネル要素とともに示す正面図。
【図３】同実施形態が適用されるパネル支持支柱を示す図。
【図４】同実施形態が適用されるパネル支持支柱の桟への取付状態を示す図。
【図５】同実施形態のプッシュラッチ要素を示す斜視図。
【図６】同プッシュラッチ要素の機能説明図。
【図７】同実施形態のプッシュラッチ受け要素を示す図。
【図８】同分解斜視図。
【図９】同実施形態におけるパネル支持支柱の取付手順を示す図。
【図１０】同実施形態におけるパネル支持支柱の取付手順を示す図。
【図１１】同実施形態のパネル支持支柱にパネル要素を取り付ける際に用いられるパネル要素取付具を示す図。
【符号の説明】
Ｆ…床
Ｐ…プッシュラッチ機構
２…支柱（パネル支持支柱）
５…桟
２２…アジャスタ
２３…プッシュラッチ要素
２４…プッシュラッチ受け要素
【図１】
0004080786.tif 000002
【図２】
0004080786.tif 000003
【図３】
0004080786.tif 000004
【図４】
0004080786.tif 000005
【図５】
0004080786.tif 000006
【図６】
0004080786.tif 000007
【図７】
0004080786.tif 000008
【図８】
0004080786.tif 000009
【図９】
0004080786.tif 000010
【図１０】
0004080786.tif 000011
【図１１】
0004080786.tif 000012